(57)【要約】【課題】  意匠性に優れた後付けサッシの提供。【解決手段】  外壁３の室外側面に当接して設けるサッシ枠７と下枠補助材１２とを備え、サッシ枠７は、外周に外壁に固定するための固定部１４ａ，１４ｂ，３５ｂを有し、上枠４と竪枠６の固定部１４ａ，１４ｂは室外側に開口した凹溝１５ａ，１５ｂを有し、下枠補助材１２は、下枠５の下方に設けて下枠の固定部３５ｂを隠すものであるとともに、外壁に固定するための固定部１４ｃを有し、下枠補助材の固定部１４ｃは室外側に開口した凹溝１５ｃを有し、上枠４と竪枠６と下枠補助材１２の固定部１４ａ，１４ｂ，１４ｃの凹溝１５ａ，１５ｂ，１５ｃに目板１８ａ，１８ｂ，１８ｃを嵌め込んで固定ネジ１７ａ，１７ｂ，１７ｃを隠蔽してあることを特徴とする。【選択図】      図４
2014037773.tif 000002
【特許請求の範囲】
【請求項１】
外壁の室外側面に当接して設けるサッシ枠と下枠補助材とを備え、サッシ枠は、外周に外壁に固定するための固定部を有し、上枠と竪枠の固定部は室外側に開口した凹溝を有し、下枠補助材は、下枠の下方に設けて下枠の固定部を隠すものであるとともに、外壁に固定するための固定部を有し、下枠補助材の固定部は室外側に開口した凹溝を有し、上枠と竪枠と下枠補助材の固定部の凹溝に目板を嵌め込んで固定ネジを隠蔽してあることを特徴とする後付けサッシ。
【発明の詳細な説明】
【技術分野】
【０００１】
本発明は、窓開口部に後付けする後付けサッシに関する。
【背景技術】
【０００２】
窓の断熱性を向上するために、既存サッシ枠の室外側に新設サッシを設置することが従来より行われている。特許文献１には、新設サッシ枠を既存サッシ枠と連結するものが開示されているが、この構造では既存サッシ枠の形状による制限が大きく、新設サッシを設置できないケースが多くある。
この問題を解決した構造としては、新設サッシ枠を既存サッシ枠よりも一回り大きなものとして既存サッシ枠の外周を囲み、新設サッシ枠を外壁に直接固定する構造がある。新設サッシ枠には、外壁に固定するための固定片が外周側にヒレ状に突出して設けられ、固定片を外壁の室外側面に当接してネジを打ち込んで固定している。この構造では、固定片を外壁に固定しているネジの頭が露出するため、意匠性が悪い問題があった。
【先行技術文献】
【特許文献】
【０００３】
【特許文献１】特許第３２２７５５８号公報
【発明の概要】
【発明が解決しようとする課題】
【０００４】
本発明は以上に述べた実情に鑑み、意匠性に優れた後付けサッシの提供を目的とする。
【課題を解決するための手段】
【０００５】
上記の課題を達成するために請求項１記載の発明による後付けサッシは、外壁の室外側面に当接して設けるサッシ枠と下枠補助材とを備え、サッシ枠は、外周に外壁に固定するための固定部を有し、上枠と竪枠の固定部は室外側に開口した凹溝を有し、下枠補助材は、下枠の下方に設けて下枠の固定部を隠すものであるとともに、外壁に固定するための固定部を有し、下枠補助材の固定部は室外側に開口した凹溝を有し、上枠と竪枠と下枠補助材の固定部の凹溝に目板を嵌め込んで固定ネジを隠蔽してあることを特徴とする。
【発明の効果】
【０００６】
請求項１記載の発明による後付けサッシは、サッシ枠の上枠と縦枠の外周の固定部に室外側に開口した凹溝を有しており、下枠の下方に下枠補助材を外壁に当接して設けて下枠の固定部を隠してあり、下枠補助材は、外壁に固定するための固定部を有し、下枠補助材の固定部は室外側に開口した凹溝を有し、上枠と竪枠と下枠補助材の固定部の凹溝に目板を嵌め込んで固定ネジを隠蔽してあるので、サッシ枠外周の固定ネジを四方全て隠蔽して意匠性を向上できる。
【図面の簡単な説明】
【０００７】
【図１】窓タイプの場合の縦断面図である。
【図２】窓タイプの場合の横断面図である。
【図３】窓タイプの場合の上枠部を拡大して示す縦断面図である。
【図４】窓タイプの場合の下枠部を拡大して示す縦断面図である。
【図５】竪枠と下枠とのコーナー部の拡大図であって、（ａ）は側面図、（ｂ）は室外側正面図、（ｃ）は底面図である。
【図６】サッシ枠の取付け方を示す縦断面図である。
【図７】テラスタイプの場合の縦断面図である。
【図８】テラスタイプの場合の横断面図である。
【発明を実施するための形態】
【０００８】
以下、本発明の実施の形態を図面に基づいて説明する。本後付けサッシ１は、窓の断熱性を向上させるために、既存サッシ２の室外側に外壁３より張り出して設けるもので、窓タイプの場合とテラスタイプの場合がある。図１〜５は、窓タイプの場合を示している。既存サッシ２は、半外付け納まりの引違いサッシとなっている。後付けサッシ１は、上枠４と下枠５と左右の竪枠６，６とを四方枠組みしたサッシ枠７と、サッシ枠７内に上下枠４，５に沿って摺動自在に設けた内障子８と外障子９と網戸１０を備える。また、上枠４の下方には支持材１１が、下枠５の下方には下枠補助材１２が、それぞれ外壁３の室外側面に当接して設けてある。サッシ枠７は、既存サッシ２のサッシ枠１３よりも一回り大きく、既存のサッシ枠１３の周囲を囲み、外壁３の室外側面に当接して設けてある。
【０００９】
上枠４は、図１，３に示すように、室内側の外周側に外壁３への固定部１４ａを有している。固定部１４ａは、室外側に開口した凹溝１５ａを有する断面略コ字型に形成してあり、固定部１４ａを外壁３を貫通して間柱１６に達する固定ネジ１７ａで固定し、凹溝１５ａに目板１８ａを嵌め込んで固定ネジ１７ａを隠蔽してある。目板１８ａを嵌め込むことで、上枠４の外周側に張り出した部分の見付け面が面一になっている。固定部１４ａの先端部には、外周側に突出した突起１９ａが設けてあり、凹溝１５ａの外周側の壁２０ａと突起１９ａとでシール受け部２１ａを形成しており、シール受け部２１ａと外壁３との間にシール材２２を充填している。上枠４の下面の室内側の位置には、支持材１１に係止させるための被係止部２３を有している。被係止部２３は、上枠４下面より外壁３に近付く方向に傾斜して垂下するヒレ状となっており、室外側から見ると被係止部２３は内外障子用のレール２４ａ，２４ｂの後に隠れて見えないようになっている。また被係止部２３は、支持材１１にネジ止めするための固定部を兼ねている。
【００１０】
支持材１１は、アルミ押出形材で形成した長尺部材であり、既存サッシ２の上枠１３ａａとほぼ同じ長さとなっている。支持材１１は、図３に示すように、上下方向の中間部に外壁３に当接してネジ２５で固定される固定部２６を有し、固定部２６のすぐ上に上枠４の係止部２７が上向きの断面略Ｌ形で室外側に突出するように設けてある。係止部２７の室内側の位置には、上枠４の被係止部２３の室内側に重合する固定片２８を有している。固定片２８は、下から上に向かうにつれて外壁３から離間する向きで傾斜し、且つ上部に室内側に向けて屈曲した屈曲部２９を有する断面略く字状に形成され、屈曲部２９の先端が外壁３に当接している。固定片２８と外壁３との間には空間３０を有している。上枠４の被係止部２３は、支持材１１の係止部２７に上方から係止させた上で、室外側から斜め上向きのネジ３１で支持材１１の固定片２８に固定してある。支持材１１の外壁への固定部２６より下の部分３２は、室外側に少し階段状に曲げて外壁３との間に隙間３３が開くようにしてある。支持材１１の下端は、既存サッシ上枠１３ａの上面に当接している。
【００１１】
竪枠６は、図２に示すように、室内側の外周側に外壁３への固定部１４ｂを有している。固定部１４ｂは、室外側に開口した凹溝１５ｂを有する断面略コ字型に形成してあり、固定部１４ｂを外壁３を貫通して柱３４に達する固定ネジ１７ｂで固定し、凹溝１５ｂに目板１８ｂを嵌め込んで固定ネジ１７ｂを隠蔽してある。目板１８ｂを嵌め込むことで、竪枠６の外周側に張り出した部分の見付け面が面一になっている。固定部１４ｂの先端部には、外周側に突出した突起１９ｂが設けてあり、凹溝１５ｂの外周側の壁２０ｂと突起１９ｂとでシール受け部２１ｂを形成しており、シール受け部２１ｂと外壁３との間にシール材２２を充填している。
【００１２】
下枠５は、図１，４に示すように、室内側の内周側と外周側にヒレ状の固定部３５ａ，３５ｂを有し、外壁３に当接して固定ネジ３６ａ，３６ｂで固定してある。外周側の固定部３５ｂは、室内側に向けて若干傾斜しており、固定ネジ３６ｂは斜め上向きに打ち込んでいる。下枠５の底壁には、下り勾配の傾斜部５ａが設けてあり、サッシ枠７内に浸入した雨水や結露水は傾斜部５ａを伝って室外側に流れ、排水弁３７よりサッシ枠７外に排水されるようにしている。また下枠５は、室外側面５ｂの下縁と外周側の固定部３５ｂの下端とを同一高さにしており、正面から見て同固定部３５ｂが見えないようになっている。
【００１３】
下枠補助材１２は、アルミ押出形材で形成した長尺部材であり、下枠５とほぼ同じ長さを有する。下枠補助材１２は、図４に示すように、上下方向の中間部に外壁３への固定部１４ｃを有し、固定部１４ｃは室外側に開口した凹溝１５ｃを有する断面略コ字型に形成してあり、固定部１４ｃを外壁３に当接して固定ネジ１７ｃで固定し、凹溝１５ｃに目板１８ｃを嵌め込んで固定ネジ１７ｃを隠蔽してある。固定部１４ｃの上方には、外壁３と離間して立ち上がるカバー片３８を有し、カバー片３８により下枠５の外周側の固定部３５ｂ及び固定ネジ３６ｂを隠蔽している。固定部１４ｃの下方には、外壁３と離間して垂下する垂下片３９を有し、垂下片３９と凹溝１５ｃの外周側の壁２０ｃとでシール受け部２１ｃを形成しており、シール受け部２１ｃと外壁３との間にシール材２２を充填している。カバー片３８と目板１８ｃと垂下片３９とは、面一になっている。カバー片３８には、図５（ｂ）に示すように、長手方向の端部より少し内側に入った位置に排水用の切り欠き４０が設けてあり、カバー片３８の屋内側に浸入した雨水は、この切り欠き４０から排水される。
【００１４】
下枠補助材１２の長手方向端部には、図５に示すように、樹脂製の端部カバー４１が設けてある。端部カバー４１は、竪枠６外周の突起１９ｂの下端部と下枠補助材１２のカバー片３８及び垂下片３９の側端部とを跨ってカバーするカバー部４２と、下枠補助材１２の凹溝１５ｃの小口を塞ぐ塞ぎ板部４３と、下枠補助材１２の凹溝１５ｃ内に差し込まれる差込部４４とを有し、この端部カバー４１により竪枠６のシール受け部２１ｂと下枠補助材１２のシール受け部２１ｃとを連続させている。なお、上枠４のシール受け部２１ａと竪枠６のシール受け部２１ｂも連続しており、シール材２２はサッシ枠７の外周全周に亘って連続している。端部カバー４１は、差込部４４を下枠補助材１１の凹溝１５ｃ内に屋外側から差し込み、固定ネジ１７ｃで下枠補助材１１の固定部１４ｃと共締めして固定してある。
【００１５】
次に、本後付けサッシ１の施工手順を説明する。まず、後付けサッシ１のサッシ枠７を取付ける前に、支持材１１を外壁３に取付ける。支持材１１は、図３に示すように、下端を既存サッシ２の上枠１３ａ上面に当接することで容易に位置決めができ、また支持材下部３２と外壁３との間に隙間３３が開くようにしているので、外壁３と既存サッシ上枠１３ａとの境界のシール４５が盛り上がっていたり、微小な三角シールが施されていたりする場合でも、この隙間３３によりシール４５との干渉を防止して支持材１１を確実に外壁３に密着して取付けできる。また既存サッシ枠１３が内付け納まり枠の場合には、外壁３室外側面に既存サッシ上枠１３ａの釘ヒレが露出するが、この場合も前記隙間３３により釘ヒレとの干渉を防止して支持材１１を外壁３に確実に密着して固定できる。
支持材１１を外壁３に固定した後、枠組みしたサッシ枠７を、図６に示すように、上枠の被係止部２３を支持材１１の係止部２７に上方から係止させて吊下げる。その際、係止部２７の後方に位置する固定片２８が下から上に向かうにつれて外壁から離間する向きで傾斜していることで、上枠４の被係止部２３が固定片２８にガイドされて所定の位置に誘導され、また係止部２７が支持材１１を外壁３に固定しているネジ２５の上方に位置しており、ネジ２５の頭に邪魔されることもないので、上枠４の被係止部２３の係止が容易に行える。
その後、サッシ枠７の左右方向の位置調整を行う。上枠４の被係止部２３を支持材１１の係止部２７に係止していることで、サッシ枠７は外壁３に当接する状態で安定して支持され、手で支えていなくてもサッシ枠７が倒れてくる心配もないので、サッシ枠７の左右位置調整を作業者が一人で容易に行うことができ、入隅納まりでサッシ枠７を左右片方に寄せる必要がある場合でも容易に対応できる。また、支持材１１を既存サッシ２の上枠１３ａの長さに揃えてあり、既存サッシの上枠１３ａから支持材１１が側方に飛び出さないため、サッシ枠７の左右位置の調整代を最大限確保できる。
サッシ枠７の位置を決めたら、上枠４の被係止部２３を室外側から斜め上向きのネジ３１で支持材１１の固定片２８に固定する。このとき、支持材１１の固定片２８が下から上に向かうにつれて外壁３から離れる向きで傾斜していることで、固定片２８によりサッシ枠７の持ち上がりが規制され、作業者がサッシ枠７を下方に押さえる必要がないので、ネジ固定を一人で容易に行える。また、上枠４の被係止部２３が同じように傾斜していることで、被係止部２３を上枠４のレール２４ａ，２４ｂと見込方向に重合させてネジ３１の頭を隠蔽しても、斜め下方から容易に接合できる。さらに、固定片２８と外壁３との間に空間３０が形成されているので、ネジ３１の先端が外壁３に突き当たるのを防止でき、ネジ締めを最後まで確実に行い、被係止部２３を固定片２８に密着させて固定できる。さらに固定片２８の上部に室内側に屈曲した屈曲部２９を有し、その先端を外壁に当接させていることで、固定片２８の変形を防止して上枠４の接合強度を高められるとともに、固定片２８と外壁３間にネジ３１の外壁３との干渉を防止するための空間３０を確実に形成できる。
その後、上枠４、竪枠６及び下枠５の各固定部１４ａ，１４ｂ，３５ａ，３５ｂを固定ネジ１７ａ，１７ｂ，３６ａ，３６ｂで固定する。このときも作業者がサッシ枠７を外壁３に押付ける必要がないため、一人で容易に作業できる。その後、上枠４と竪枠６の凹溝１５ａ，１５ｂに目板１８ａ，１８ｂを嵌め込み、固定ネジ１７ａ，１７ｂを隠蔽する。
その後、下枠５の固定部３５ｂを隠すように下枠５の下方に下枠補助材１２を外壁３に当接して配置し、固定ネジ１７ｃで固定する。その後、下枠補助材１２の凹溝１５ｃにも目板１８ｃを嵌め込み、固定ネジ１７ｃを隠蔽する。
その後、上枠４、竪枠６及び下枠補助材１２の外周に形成されたシール受け部２１ａ，２１ｂ，２１ｃと外壁３間にシール材２２を連続して充填する。サッシ枠７外周にシール受け部２１ａ，２１ｂ，２１ｃを有していることでシール作業が容易に行え、さらに、下枠補助材１２端部に設けた端部カバー４１により、竪枠６と下枠補助材１２のシール受け部２１ｂ，２１ｃを連続させているので、サッシ枠７の外周全周に亘ってシール材２２を切らすことなく連続してシールでき、これにより水密性を向上できるとともにシール作業の作業性を向上できる。
その後、サッシ枠７に内外障子８，９と網戸１０を通常のサッシと同様に建て込む。
【００１６】
以上に述べたように本後付けサッシ１は、予め外壁３に取付けた支持材１１の係止部２７に、上枠４の被係止部２３を上方から係止させてサッシ枠７を吊下げることで、サッシ枠７が外壁３に当接する状態で安定して支持され、サッシ枠７を外壁３に押付ける必要がないので、サッシ枠７の左右位置調整及びサッシ枠７の固定を、一人で容易に行うことができる。またサッシ枠７は、上枠４を支持材１１にネジ３１で固定すると共に四方全てを固定ネジ１７ａ，１７ｂ，３６ａ，３６ｂで外壁３に固定することで、強固に固定することができる。さらに本後付けサッシ１は、上枠４と竪枠６外周の固定ネジ１７ａ，１７ｂが目板１８ａ，１８ｂにより隠蔽され、下枠５外周の固定ネジ３６ｂは下枠補助材１２のカバー片３８により隠蔽され、さらに下枠補助材１２の固定ネジ１７ｃも目板１８ｃで隠蔽されるので、サッシ枠７の外周に固定ネジが全く見えないので、意匠性が優れている。さらに、上枠４と竪枠６と下枠補助材１２の外周部にシール受け部２１ａ，２１ｂ，２１ｃが設けてあることで、シール受け部２１ａ，２１ｂ，２１ｃで受ける形で外壁３との間にシール材２２を容易に充填でき、サッシ枠７の外周が全周シールされることで、サッシ枠７内への雨水の浸入を確実に防止できる。また、下枠補助材１２の垂下片３９が水切りの役目を果たし、外壁３の汚れを防止できる。このように本後付けサッシ１は、外壁３や既存のサッシ枠１３に加工を施すことなく、支持材１１とサッシ枠７と下枠補助材１２を外壁３に直接取付けるだけなので、簡易な施工で窓の断熱性を大きく向上することができる。
【００１７】
図７，８はテラスタイプの場合の実施形態を示している。窓タイプの場合とは下枠補助材１２を省略している点が異なる。サッシ枠７は窓タイプ用のものと兼用であり、上枠４、竪枠６、下枠５及び支持材１１は、窓タイプのものと断面形状が同一である。
【００１８】
テラスタイプの場合、既存サッシ２の下枠１３ｂと躯体４６との間のスペースが狭いが、上述のように下枠補助材１２を省略することで、既存の下枠１３ｂと躯体４６との間のスペースが狭い場合でも躯体４６との干渉を防止してサッシ枠７を難なく設置することができ、しかも下枠５の外周側の固定部３５ｂは足元位置にくるので、下枠の固定ネジ３６ｂの頭が露出していても意匠を損なうことがない。さらに、下枠５の室外側面５ｂの下縁と固定部３５ｂの下端とを同一高さにしているので、下枠５の固定部３５ｂが下方に張り出さず、下枠５の設置スペースを確保するのが一層容易になる。また、下枠補助材１２を取付けなくても下枠５の固定部３５ｂ及び固定ネジ３６ｂが正面から見えず、意匠性が良い。上枠４と左右の竪枠６の三方の固定ネジ１７ａ，１７ｂが目板で隠蔽されることで意匠性を向上でき、また上枠４と竪枠６の外周と外壁３間がシール材２２でシールされるため、サッシ枠７内への雨水の浸入を防止できる。上枠４と竪枠６の外周にシール受け部２１ａ，２１ｂを備えているため、シール作業が容易に行える。
【００１９】
本後付けサッシ１は、テラスタイプと窓タイプでサッシ枠７を兼用しているので、サッシ枠７の製作と管理が容易でコストダウンすることができ、下枠補助材１２を使用するかしないかの違いだけで何れのタイプにも対応でき、合理的である。
【００２０】
本発明は以上に述べた実施形態に限定されない。本発明の後付けサッシは、引違い窓に限らず、嵌め殺し窓等の装飾窓に適用することもできる。また、既存サッシが無い態様で用いることもできる。
【符号の説明】
【００２１】
１  後付けサッシ
２  既存サッシ
３  外壁
４  上枠
５  下枠
６  竪枠
７  サッシ枠
１１  支持材
１２  下枠補助材
１３  既存サッシ枠
１４ａ，１４ｂ，１４ｃ  固定部
１５ａ，１５ｂ，１５ｃ  凹溝
１７ａ，１７ｂ，１７ｃ  固定ネジ
１８ａ，１８ｂ，１８ｃ  目板
２１ａ，２１ｂ，２１ｃ  シール受け部
２２  シール材
２３  被係止部
２６  支持材の固定部
２７  係止部
２８  固定片
２９  屈曲部（当接部）
３０  空間
３１  ネジ
３５ａ，３５ｂ  下枠の固定部
３６ａ，３６ｂ  下枠の固定ネジ
３８  カバー片
３９  垂下片
４１  端部カバー  
【図１】
2014037773.tif 000003
【図２】
2014037773.tif 000004
【図３】
2014037773.tif 000005
【図４】
2014037773.tif 000006
【図５】
2014037773.tif 000007
【図６】
2014037773.tif 000008
【図７】
2014037773.tif 000009
【図８】
2014037773.tif 000010